(57)【特許請求の範囲】
【請求項１】
直管部以外の配管部分及び支持部材によって支持される配管部分の保温構造であって、
当該配管部分を保護する外装材の内面に断熱性・撥水性・非吸水性を備えた薄型の保温材を有するとともに、当該保温材は当該配管部分に非接触であり、
当該配管部分の保温材は、これに隣接する保温材との間に水が浸透することを防止するための間仕切を設け、
当該配管部分の保温材は、エアロゲルが充填された繊維体であることを特徴とする保温構造。
【請求項２】
当該配管部分の外装材は、これに隣接する外装材とほぼ同じ外径で連接することを特徴とする請求項１に記載の保温構造。
【請求項３】
当該配管部分の外装材は、保温構造内に流入した水分を水及び水蒸気の形態で排出するための貫通孔を形成したことを特徴とする請求項１又は２に記載の保温構造。
【発明の詳細な説明】
【技術分野】
【０００１】
本願発明は、保温構造に関し、特に、保温構造における配管の腐食防止に関するものである。
【背景技術】
【０００２】
従来、例えば、特許文献１には、配管の外周を保温材で覆い、さらに当該保温材の外周を金属板からなる保護カバーで覆うことが記載されている。
【先行技術文献】
【特許文献】
【０００３】
【特許文献１】特開平８−１９８３０号公報
【発明の概要】
【発明が解決しようとする課題】
【０００４】
しかしながら、上記従来技術においては、例えば、雨水によって保護カバーの継ぎ目から水が浸入した場合には、保温材が水を含み、その結果、保温材によって配管が腐食することがあった。そして、配管の腐食によって、配管から流体物の漏洩等が発生し、「プラントの操業停止」や「災害の発生」といった重大な問題に発展する危険性を備えている。
【０００５】
本願発明は、上記課題を解決するために、配管の腐食を防止する新規な保温構造の提供を目的として開発されたものである。
【課題を解決するための手段】
【０００６】
本願発明の第１の発明は、直管部以外の配管部分及び支持部材によって支持される配管部分の保温構造であって、当該配管部分を保護する外装材の内面に断熱性・撥水性・非吸水性を備えた薄型の保温材を有するとともに、当該保温材及び外装材を貫通する貫通孔を有し、当該保温材は当該配管部分に非接触であることを特徴とするものである。
ここで、「直管部以外の配管部分」とは、曲管（エルボ管）やバルブ・フランジ・Ｔ字管等のフィッティング類などを意味する。
また、「支持部材によって支持される配管部分」とは、スライド・Ｕボルト・吊りハンガー等の支持部材（サポート部材）によって支持される配管部分（直管部も含む）を意味する。
第２の発明は、当該配管部分の保温材が、これに隣接する保温材との間に間仕切を設けたことを特徴とする同保温構造である。
第３の発明は、当該配管部分の保温材が、エアロゲルが充填された繊維体であることを特徴とする同保温構造である。
第４の発明は、当該配管部分の外装材が、これに隣接する外装材とほぼ同じ外径で（段差無く）連接することを特徴とする同保温構造である。
第５の発明は、当該配管部分の外装材が、流入した雨水等の水及び水蒸気を排出するための貫通孔を形成したことを特徴とする同保温構造である。
【発明の効果】
【０００７】
上記する本願発明によれば、以下のような効果を有する。
（１）直管部以外の配管部分及び支持部材によって支持される配管部分は、保温構造内部に雨水の浸入しやすい部分ではあるが、当該配管部分を保護する外装材の内面に断熱性・撥水性・非吸水性を備えた薄型の保温材を有するとともに、当該保温材は当該配管部分に非接触であることで、配管の腐食を防止できる。すなわち、当該配管部分を保護する外装材の内面に断熱性・撥水性・非吸水性を備えた薄型の保温材を有することで、まずは保温構造内部への雨水の浸入を防止する。次に、仮に保温構造内部へ雨水が浸入しても、当該保温材が当該配管部分に非接触であることで、配管表面に付着した雨水が蒸発し、その水蒸気と水分が貫通孔を通じて外部に排出されることで、確実に配管の腐食を防止する。
（２）当該配管部分の保温材が、これに隣接する保温材との間に間仕切を設けたことで、仮に当該配管部分の保温構造内部へ雨水が浸入しても、隣接する保温材にまで水が浸透することを防止できる。その結果、隣接する保温材に被覆された配管の腐食を防止できる。
（３）当該配管部分の保温材が、エアロゲルが充填された繊維体であることで、配管腐食防止のために、優れた断熱性・撥水性・非吸水性を備えた薄型の保温材を提供できる。
（４）当該保温材が当該配管部分に非接触であって、当該配管部分の外装材が、これに隣接する直管部の外装材とほぼ同じ外径で（段差無く）連接することで、保温構造を大型化することなくコンパクトにできる。その結果、作業効率の向上やコスト削減につながる。
（５）当該配管部分の外装材及び保温材が、保温構造内に浸入した雨水等の水及び水蒸気を逃がすための貫通孔を形成したことで、当該配管部分の保温構造内部で発生した水蒸気は、水と共に貫通孔を通じて保温構造外へ排出される。その結果、保温構造内部の湿度が低くなり（乾燥し）、配管の腐食を効果的に防止できる。
【図面の簡単な説明】
【０００８】
【図１−１】本願発明の第１実施形態を示す説明図（１）。
【図１−２】本願発明の第１実施形態を示す説明図（２）。
【図２−１】本願発明の第２実施形態を示す説明図（１）。
【図２−２】本願発明の第２実施形態を示す説明図（２）。
【図３−１】本願発明の第３実施形態を示す説明図（１）。
【図３−２】本願発明の第３実施形態を示す説明図（２）。
【図４】本願発明の第４実施形態を示す説明図。
【図５】本願発明の第５実施形態を示す説明図。
【図６】本願発明の第６実施形態を示す説明図。
【図７】本願発明の第７実施形態を示す説明図。
【図８】本願発明の第８実施形態を示す説明図。
【図９】本願発明の第９実施形態を示す説明図。
【図１０】本願発明の第１０実施形態を示す説明図。
【図１１】本願発明の第１１実施形態を示す説明図。
【図１２】本願発明の第１２実施形態を示す説明図。
【図１３】本願発明の第１３実施形態を示す説明図。
【図１４】本願発明の第１４実施形態を示す説明図。
【図１５】本願発明の第１５実施形態を示す説明図。
【発明を実施するための形態】
【０００９】
本願発明の保温構造に係る実施形態を図面に基づいて説明する。
まずは、本実施形態において使用する保温材について説明する。この保温材は、断熱性・撥水性・非吸水性を備えた薄型の保温材である。例えば、エアロゲルが充填された繊維体（以下、「エアロゲル繊維体」という。）を好ましく用いることができる。
【００１０】
このエアロゲル繊維体は、繊維基材にエアロゲルを充填することにより製造することのできる断熱性の構造体である。具体的に、エアロゲル繊維体は、例えば、繊維基材の繊維間にエアロゲルの原料を含浸し、次いで、当該エアロゲルの原料が含浸された繊維基材を超臨界乾燥することにより製造することができる。
【００１１】
エアロゲル繊維体を構成する繊維基材としては、無機繊維又は有機繊維の織布又は不織布を用いることができる。繊維基材として、繊維が不規則に絡み合った不織布を用いることにより、繊維間にエアロゲルをより効果的に保持することができる。
【００１２】
また、繊維基材を構成する繊維としては、例えば、ポリエチレンテレフタレート（ＰＥＴ）繊維等の樹脂繊維、炭素繊維、ガラス繊維やアルミナ繊維等の無機繊維を用いることができる。
【００１３】
繊維基材に充填されるエアロゲルとしては、無機材料からなるエアロゲル（無機エアロゲル）又は有機材料からなるエアロゲル（有機エアロゲル）を用いることができる。無機エアロゲルを用いることにより、エアロゲル繊維体の耐熱性を効果的に高めることができる。
【００１４】
無機エアロゲルとしては、例えば、シリカエアロゲルやアルミナエアロゲルを用いることができる。中でも、シリカエアロゲルを用いることにより、エアロゲル繊維体の断熱性を効果的に高めることができる。
【００１５】
また、この保温材としては、より断熱性の高いものが好ましい。具体的に、ＡＳＴＭ  Ｃ１７７に準拠した方法で測定される保温材の２５℃における熱伝導率は、例えば、０．０５Ｗ／（ｍ・Ｋ）以下であることが好ましく、０．０２Ｗ／（ｍ・Ｋ）以下であることがより好ましい。
【００１６】
すなわち、例えば、その熱伝導率が上記の範囲であるエアロゲル繊維体を保温材として好ましく用いることができる。なお、エアロゲル繊維体の繊維間の空隙を埋めるエアロゲルは、当該エアロゲル内の微細孔により、当該エアロゲル繊維体の内部における空気の対流を効果的に防止することができる。このため、エアロゲル繊維体は、優れた断熱性を有することができる。
【００１７】
また、ＡＳＴＭ  Ｅ９６（Ｐｒｏｃｅｄｕｒｅ  Ｂ）に準拠した方法で測定される保温材の水蒸気透過性は、例えば、６００ｎｇ／（Ｐａ・Ｓ・ｍ２）以上であることが好ましく、１５００ｎｇ／（Ｐａ・Ｓ・ｍ２）以上であることがより好ましい。
【００１８】
また、ＡＳＴＭ  Ｃ１１０４に準拠した方法で測定される保温材の水中浸漬後の吸水率は、例えば、１０重量％以下であることが好ましく、４重量％以下であることがより好ましい。また、ＡＳＴＭ  Ｃ１５１１に準拠した方法で測定される保温材の撥水性は、例えば、５ｇ重量減以下であることが好ましく、３ｇ重量減以下であることがより好ましい。
【００１９】
すなわち、この保温材としては、例えば、上記の範囲の水蒸気透過性に加えて、上記の範囲の吸水率又は撥水性の両方または一方をさらに備えたエアロゲル繊維体を好ましく用いることができる。なお、エアロゲル繊維体は、上述したようなエアロゲル内の微細孔により、優れた断熱性に加えて、上記のような水蒸気透過性と非透水性と非吸水性とを兼ね備えることができる。
【００２０】
また、この保温材としてエアロゲル繊維体を用いる場合、当該エアロゲル繊維体の嵩密度は、例えば、１００〜３００ｋｇ／ｍ３の範囲とすることが好ましく、１５０〜２００ｋｇ／ｍ３の範囲とすることがより好ましい。嵩密度が上記の範囲であるエアロゲル繊維体を用いることで、本保温構造の軽量化を図ることができる。
【００２１】
さらに、この保温材は、適度な可撓性を有することが好ましい。すなわち、保温材としては、外装材の内面に沿って巻き付けることのできる柔軟性を備えたシート状体を用いることができる。
【００２２】
具体的に、例えば、不織布である繊維基材にエアロゲルが充填されてなるエアロゲル繊維体のシートを好ましく用いることができる。この場合、エアロゲル繊維体の厚さは、配管内を流れる流体の温度などによって好ましい厚さは変わるが、一般的な例として３〜２０ｍｍの範囲であることが好ましく、５〜１０ｍｍの範囲であることがより好ましい。
【００２３】
次に、図１−１及び図１−２に示す本願発明の第１実施形態を説明する。
第１実施形態は、ひじ継ぎ加工された曲管部（エルボ部）の保温構造１０である（図１−１は右肩下がりの曲管部、図１−２は左肩上がりの曲管部）。保温構造１０は、曲管部１１を保護する外装材１２の内面に断熱性・撥水性・非吸水性断熱性・撥水性・非吸水性を備えた上記薄型の保温材１３を有する。そして、保温材１３は曲管部１１に非接触である。これによって、保温構造１０内部への雨水の浸入を防止して配管（曲管部）の腐食を防止するとともに、仮に保温構造１０内部へ雨水が浸入しても、保温材１３が曲管部に非接触であることで、配管表面に付着した雨水が蒸発し、配管の腐食を防止する。なお、外装材１２及び保温材１３に代えて、エアロゲル繊維体を耐熱性のある無機繊維クロスからなる外被材で被覆した「ふとん状断熱材」を使用してもよい（その他の実施形態においても同じである）。
【００２４】
さらに、外装材１２及び保温材１３に貫通孔１４を有することで、保温構造１０内部に浸入した水及び水蒸気を効率的に排出することによって、さらに配管の腐蝕を防止することができる。また、保温材１３が、これに隣接する保温材１９との間に間仕切１５を設けることで、仮に曲管部１１の保温構造１０内部へ雨水が浸入しても、隣接する保温材１９にまで水が浸透することを防止できる。その結果、隣接する保温材１９に被覆された配管の腐食を防止できる。ここで、間仕切１５に同じ保温材１３ｂを取り付けることで、配管の腐食防止をより確実なものにできる。
【００２５】
図２−１及び図２−２に示す本願発明の第２実施形態を説明する。
第２実施形態は、えび継ぎ加工された曲管部（エルボ部）の保温構造２０である（図２−１は右肩下がりの曲管部、図２−２は左肩上がりの曲管部）。保温構造２０は、曲管部２１を保護する外装材２２の内面に断熱性・撥水性・非吸水性断熱性・撥水性・非吸水性を備えた上記薄型の保温材２３を有する。そして、保温材２３は曲管部２１に非接触である。これによって、保温構造２０内部への雨水の浸入を防止して配管（曲管部）の腐食を防止するとともに、仮に保温構造２０内部へ雨水が浸入しても、保温材２３が曲管部に非接触であることで、配管表面に付着した雨水が蒸発し、配管の腐食を防止する。
【００２６】
さらに、外装材２２及び保温材２３に貫通孔２４を有することで、保温構造２０内部に浸入した水及び水蒸気を効率的に排出することによって、さらに配管の腐蝕を防止することができる。また、保温材２３が、これに隣接する保温材２９との間に間仕切２５を設けることで、仮に曲管部２１の保温構造２０内部へ雨水が浸入しても、隣接する保温材２９にまで水が浸透することを防止できる。その結果、隣接する保温材２９に被覆された配管の腐食を防止できる。ここで、間仕切２５に同じ保温材２３ｂを取り付けることで、配管の腐食防止をより確実なものにできる。
【００２７】
図３−１及び図３−２に示す本願発明の第３実施形態を説明する。
第３実施形態は、ノンボンネットタイプのバルブ部の保温構造３０である（図３−１は保温材３３が隣接する保温材３９の上に乗るタイプ、図３−２は保温材３３が隣接する保温材３９よりも内側に入り込むタイプ＝外装材３２が隣接部と略フラットに取り付くタイプ）。保温構造３０は、バルブ部３１を保護する外装材３２の内面に断熱性・撥水性・非吸水性を備えた上記薄型の保温材３３を有する。そして、保温材３３はバルブに接続された配管３８と非接触である。これによって、保温構造３０内部への雨水の浸入を防止して当該配管３８の腐食を防止するとともに、仮に保温構造３０内部へ雨水が浸入しても、保温材３３が当該配管３８に非接触であることで、配管表面に付着した雨水が蒸発し、配管３８の腐食を防止する。
【００２８】
また、外装材３２及び保温材３３には、保温構造内部に浸入した水及び水蒸気を逃がすための貫通孔３４を形成する。これにより、浸入した雨水等の水及び水蒸気が保温構造３０外へ排出される。その結果、保温構造３０内部の湿度が低くなり（乾燥し）、配管３８の腐食を効果的に防止できる。さらに、隣接する保温材３９との間に間仕切３５を設けることで、保温構造３０内部へ雨水が浸入しても、隣接する保温材３９にまで水が浸透することを防止できる。その結果、隣接する保温材３９に被覆された配管の腐食を防止できる。ここで、間仕切３５に同じ保温材３３ｂを取り付けることで、配管の腐食防止をより確実なものにできる。なお、図３−２に図示した「保温材が隣接する保温材よりも内側に入り込むタイプ」は、図示省略するがその他の実施形態においても同様に実施し得る形態である。
【００２９】
図４に示す本願発明の第４実施形態を説明する。
第４実施形態は、フランジ部の保温構造４０である。保温構造４０は、フランジ部４１を保護する外装材４２の内面に断熱性・撥水性・非吸水性を備えた上記薄型の保温材４３を有する。そして、保温材４３はフランジを備えた配管４８と非接触である。これによって、保温構造４０内部への雨水の浸入を防止して当該配管４８の腐食を防止するとともに、仮に保温構造４０内部へ雨水が浸入しても、保温材４３が当該配管４８に非接触であることで、配管表面に付着した雨水が蒸発し、配管４８の腐食を防止する。
【００３０】
また、外装材４２及び保温材４３には、保温構造内部に浸入した水及び水蒸気を逃がすための貫通孔４４を形成する。これにより、浸入した雨水等の水及び水蒸気が保温構造４０外へ排出される。その結果、保温構造４０内部の湿度が低くなり（乾燥し）、配管４８の腐食を効果的に防止できる。さらに、隣接する保温材４９との間に間仕切４５を設けることで、保温構造４０内部へ雨水が浸入しても、隣接する保温材４９にまで水が浸透することを防止できる。その結果、隣接する保温材４９に被覆された配管の腐食を防止できる。ここで、間仕切４５に同じ保温材４３ｂを取り付けることで、配管の腐食防止をより確実なものにできる。
【００３１】
図５に示す本願発明の第５実施形態を説明する。
第５実施形態は、スライドによって支持される配管の保温構造５０である。保温構造５０は、スライド５１によって支持される配管５８を保護する外装材５２の内面に断熱性・撥水性・非吸水性を備えた上記薄型の保温材５３を有する。そして、保温材５３はスライド５１によって支持される配管５８と非接触である。これによって、保温構造５０内部への雨水の浸入を防止して当該配管５８の腐食を防止するとともに、仮に保温構造５０内部へ雨水が浸入しても、保温材５３が当該配管５８に非接触であることで、配管表面に付着した雨水が蒸発し、配管５８の腐食を防止する。
【００３２】
また、外装材５２及び保温材５３には、保温構造内部に浸入した水及び水蒸気を逃がすための貫通孔５４を形成する。これにより、浸入した雨水等の水及び水蒸気が保温構造５０外へ排出される。その結果、保温構造５０内部の湿度が低くなり（乾燥し）、配管５８の腐食を効果的に防止できる。さらに、隣接する保温材５９との間に間仕切５５を設けることで、保温構造５０内部へ雨水が浸入しても、隣接する保温材５９にまで水が浸透することを防止できる。その結果、隣接する保温材５９に被覆された配管の腐食を防止できる。ここで、間仕切５５に同じ保温材５３ｂを取り付けることで、配管の腐食防止をより確実なものにできる。
【００３３】
図６に示す本願発明の第６実施形態を説明する。
第６実施形態は、吊りハンガーによって支持される配管の保温構造６０である。保温構造６０は、吊りハンガー６１によって支持される配管６８を保護する外装材６２の内面に断熱性・撥水性・非吸水性を備えた上記薄型の保温材６３を有する。そして、保温材６３は吊りハンガー６１によって支持される配管６８と非接触である。これによって、保温構造６０内部への雨水の浸入を防止して当該配管６８の腐食を防止するとともに、仮に保温構造６０内部へ雨水が浸入しても、保温材６３が当該配管６８に非接触であることで、配管表面に付着した雨水が蒸発し、配管６８の腐食を防止する。
【００３４】
また、外装材６２及び保温材６３には、保温構造内部に浸入した水及び水蒸気を逃がすための貫通孔６４を形成する。これにより、浸入した雨水等の水及び水蒸気が保温構造６０外へ排出される。その結果、保温構造６０内部の湿度が低くなり（乾燥し）、配管６８の腐食を効果的に防止できる。さらに、隣接する保温材６９との間に間仕切６５を設けることで、保温構造６０内部へ雨水が浸入しても、隣接する保温材６９にまで水が浸透することを防止できる。その結果、隣接する保温材６９に被覆された配管の腐食を防止できる。ここで、間仕切６５に同じ保温材６３ｂを取り付けることで、配管の腐食防止をより確実なものにできる。
【００３５】
図７に示す本願発明の第７実施形態を説明する。
第７実施形態は、スライドによって支持される配管の保温構造７０である。保温構造７０は、スライド７１によって支持される配管７８を保護する外装材７２の内面に断熱性・撥水性・非吸水性を備えた上記薄型の保温材７３を有する。そして、保温材７３はスライド７１によって支持される配管７８と非接触である。これによって、保温構造７０内部への雨水の浸入を防止して当該配管７８の腐食を防止するとともに、仮に保温構造７０内部へ雨水が浸入しても、保温材７３が当該配管７８に非接触であることで、配管表面に付着した雨水が蒸発し、配管７８の腐食を防止する。
【００３６】
また、外装材７２及び保温材７３には、保温構造内部に浸入した水及び水蒸気を逃がすための貫通孔７４を形成する。これにより、浸入した雨水等の水及び水蒸気が保温構造７０外へ排出される。その結果、保温構造７０内部の湿度が低くなり（乾燥し）、配管７８の腐食を効果的に防止できる。さらに、隣接する保温材７９との間に間仕切７５を設けることで、保温構造７０内部へ雨水が浸入しても、隣接する保温材７９にまで水が浸透することを防止できる。その結果、隣接する保温材７９に被覆された配管の腐食を防止できる。ここで、間仕切７５に同じ保温材７３ｂを取り付けることで、配管の腐食防止をより確実なものにできる。
【００３７】
図８に示す本願発明の第８実施形態を説明する。
第８実施形態は、スライドによって支持される配管の保温構造８０である。保温構造８０は、スライド８１によって支持される配管８８を保護する外装材８２の内面に断熱性・撥水性・非吸水性を備えた上記薄型の保温材８３を有する。そして、保温材８３はスライド８１によって支持される配管８８と非接触である。これによって、保温構造８０内部への雨水の浸入を防止して当該配管８８の腐食を防止するとともに、仮に保温構造８０内部へ雨水が浸入しても、保温材８３が当該配管８８に非接触であることで、配管表面に付着した雨水が蒸発し、配管８８の腐食を防止する。
【００３８】
また、外装材８２及び保温材８３には、保温構造内部に浸入した水及び水蒸気を逃がすための貫通孔８４を形成する。これにより、浸入した雨水等の水及び水蒸気が保温構造８０外へ排出される。その結果、保温構造８０内部の湿度が低くなり（乾燥し）、配管８８の腐食を効果的に防止できる。さらに、隣接する保温材８９との間に間仕切８５を設けることで、保温構造８０内部へ雨水が浸入しても、隣接する保温材８９にまで水が浸透することを防止できる。その結果、隣接する保温材８９に被覆された配管の腐食を防止できる。ここで、間仕切８５に同じ保温材８３ｂを取り付けることで、配管の腐食防止をより確実なものにできる。
【００３９】
図９に示す本願発明の第９実施形態を説明する。
第９実施形態は、Ｕボルトによって支持される配管の保温構造９０である。保温構造９０は、Ｕボルト９１によって支持される配管９８を保護する外装材９２の内面に断熱性・撥水性・非吸水性を備えた上記薄型の保温材９３を有する。そして、保温材９３はＵボルト９１によって支持される配管９８と非接触である。これによって、保温構造９０内部への雨水の浸入を防止して当該配管９８の腐食を防止するとともに、仮に保温構造９０内部へ雨水が浸入しても、保温材９３が当該配管９８に非接触であることで、配管表面に付着した雨水が蒸発し、配管９８の腐食を防止する。
【００４０】
また、外装材及び保温材９３には、保温構造内部に浸入した水及び水蒸気を逃がすための貫通孔９４を形成する。これにより、浸入した雨水等の水及び水蒸気が保温構造９０外へ排出される。その結果、保温構造９０内部の湿度が低くなり（乾燥し）、配管９８の腐食を効果的に防止できる。さらに、隣接する保温材９９との間に間仕切９５を設けることで、保温構造９０内部へ雨水が浸入しても、隣接する保温材９９にまで水が浸透することを防止できる。その結果、隣接する保温材９９に被覆された配管の腐食を防止できる。ここで、間仕切９５に同じ保温材９３ｂを取り付けることで、配管の腐食防止をより確実なものにできる。
【００４１】
図１０に示す本願発明の第１０実施形態を説明する。
第１０実施形態は、Ｕボルトによって支持される配管の保温構造１００である。保温構造１００は、Ｕボルト１０１によって支持される配管１０８を保護する外装材１０２の内面に断熱性・撥水性・非吸水性を備えた上記薄型の保温材１０３を有する。そして、保温材１０３はＵボルト１０１によって支持される配管１０８と非接触である。これによって、保温構造１００内部への雨水の浸入を防止して当該配管１０８の腐食を防止するとともに、仮に保温構造１００内部へ雨水が浸入しても、保温材１０３が当該配管１０８に非接触であることで、配管表面に付着した雨水が蒸発し、配管１０８の腐食を防止する。
【００４２】
また、外装材１０２及び保温材１０３には、保温構造内部に浸入した水及び水蒸気を逃がすための貫通孔１０４を形成する。これにより、浸入した雨水等の水及び水蒸気が保温構造１００外へ排出される。その結果、保温構造１００内部の湿度が低くなり（乾燥し）、配管１０８の腐食を効果的に防止できる。さらに、隣接する保温材１０９との間に間仕切１０５を設けることで、保温構造１００内部へ雨水が浸入しても、隣接する保温材１０９にまで水が浸透することを防止できる。その結果、隣接する保温材１０９に被覆された配管の腐食を防止できる。ここで、間仕切１０５に同じ保温材１０３ｂを取り付けることで、配管の腐食防止をより確実なものにできる。
【００４３】
図１１に示す本願発明の第１１実施形態を説明する。
第１１実施形態は、ボックス型雨除けカバー付き吊りハンガーによって支持される配管の保温構造１１０である。保温構造１１０は、吊りハンガー１１１によって支持される配管１１８を保護する外装材１１２の内面に断熱性・撥水性・非吸水性を備えた上記薄型の保温材１１３を有する。そして、保温材１１３は吊りハンガー１１１によって支持される配管１１８と非接触である。これによって、保温構造１１０内部への雨水の浸入を防止して当該配管１１８の腐食を防止するとともに、仮に保温構造１１０内部へ雨水が浸入しても、保温材１１３が当該配管１１８に非接触であることで、配管表面に付着した雨水が蒸発し、配管１１８の腐食を防止する。
【００４４】
また、外装材１１２及び保温材１１３には、保温構造内部に浸入した水及び水蒸気を逃がすための貫通孔１１４を形成する。これにより、浸入した雨水等の水及び水蒸気が保温構造１１０外へ排出される。その結果、保温構造１１０内部の湿度が低くなり（乾燥し）、配管１１８の腐食を効果的に防止できる。さらに、隣接する保温材１１９との間に間仕切１１５を設けることで、保温構造１１０内部へ雨水が浸入しても、隣接する保温材１１９にまで水が浸透することを防止できる。その結果、隣接する保温材１１９に被覆された配管の腐食を防止できる。ここで、間仕切１１５に同じ保温材１１３ｂを取り付けることで、配管の腐食防止をより確実なものにできる。
【００４５】
図１２に示す本願発明の第１２実施形態を説明する。
第１２実施形態は、陣笠型雨除けカバー付き吊りハンガーによって支持される配管の保温構造１２０である。保温構造１２０は、吊りハンガー１２１によって支持される配管１２８を保護する外装材１２２の内面に断熱性・撥水性・非吸水性を備えた上記薄型の保温材１２３を有する。そして、保温材１２３は吊りハンガー１２１によって支持される配管１２８と非接触である。これによって、保温構造１２０内部への雨水の浸入を防止して当該配管１２８の腐食を防止するとともに、仮に保温構造１２０内部へ雨水が浸入しても、保温材１２３が当該配管１２８に非接触であることで、配管表面に付着した雨水が蒸発し、配管１２８の腐食を防止する。
【００４６】
また、外装材１２２及び保温材１２３には、保温構造内部に浸入した水及び水蒸気を逃がすための貫通孔１２４を形成する。これにより、浸入した雨水等の水及び水蒸気が保温構造１２０外へ排出される。その結果、保温構造１２０内部の湿度が低くなり（乾燥し）、配管１２８の腐食を効果的に防止できる。さらに、隣接する保温材１２９との間に間仕切１２５を設けることで、保温構造１２０内部へ雨水が浸入しても、隣接する保温材１２９にまで水が浸透することを防止できる。その結果、隣接する保温材１２９に被覆された配管の腐食を防止できる。ここで、間仕切１２５に同じ保温材１２３ｂを取り付けることで、配管の腐食防止をより確実なものにできる。
【００４７】
図１３に示す本願発明の第１３実施形態を説明する。
第１３実施形態は、ボックス型雨除けカバー付き吊りハンガーによって支持される曲管部の保温構造１３０である。保温構造１３０は、吊りハンガー１３１によって支持される曲管部１３８を保護する外装材１３２の内面に断熱性・撥水性・非吸水性を備えた上記薄型の保温材１３３を有する。そして、保温材１３３は吊りハンガー１３１によって支持される曲管部１３８と非接触である。これによって、保温構造１３０内部への雨水の浸入を防止して当該配管（曲管部）の腐食を防止するとともに、仮に保温構造１３０内部へ雨水が浸入しても、保温材１３３が曲管部に非接触であることで、配管表面に付着した雨水が蒸発し、配管の腐食を防止する。
【００４８】
また、外装材１３２及び保温材１３３には、保温構造内部に浸入した水及び水蒸気を逃がすための貫通孔１３４を形成する。これにより、浸入した雨水等の水及び水蒸気が保温構造１３０外へ排出される。その結果、保温構造１３０内部の湿度が低くなり（乾燥し）、配管１３８の腐食を効果的に防止できる。
また、保温材１３３が、これに隣接する保温材１３９との間に間仕切１３５を設けることで、仮に曲管部１３１の保温構造１３０内部へ雨水が浸入しても、隣接する保温材１３９にまで水が浸透することを防止できる。その結果、隣接する保温材１３９に被覆された配管の腐食を防止できる。ここで、間仕切１３５に同じ保温材１３３ｂを取り付けることで、配管の腐食防止をより確実なものにできる。
【００４９】
図１４に示す本願発明の第１４実施形態を説明する。
第１４実施形態は、ノンボンネットタイプのバルブ部の保温構造１４０である。保温構造１４０は、バルブ部１４１を保護する外装材１４２の内面に断熱性・撥水性・非吸水性を備えた上記薄型の保温材１４３を有する。そして、保温材１４３はバルブに接続された配管１４８と非接触である。これによって、保温構造１４０内部への雨水の浸入を防止して当該配管１４８の腐食を防止するとともに、仮に保温構造１４０内部へ雨水が浸入しても、保温材１４３が当該配管１４８に非接触であることで、配管表面に付着した雨水が蒸発し、配管１４８の腐食を防止する。なお、第３実施形態に示す保温構造３０と異なるのは、保温材１４６及び外装材１４７等によって被覆された配管１４８のバルブとの接続部分を被覆無しの状態にして（配管と非接触状態にして）、当該外装材１４７の外側に当該保温材１４３を巻き付けた点にある。
【００５０】
また、外装材１４２及び保温材１４３には、保温構造内部に浸入した水及び水蒸気を逃がすための貫通孔１４４を形成する。これにより、浸入した雨水等の水及び水蒸気が保温構造１４０外へ排出される。その結果、保温構造１４０内部の湿度が低くなり（乾燥し）、配管１４８の腐食を効果的に防止できる。
なお、図１４に図示した「ＡＬＧＣシート」は無くてもよい。
【００５１】
図１５に示す本願発明の第１５実施形態を説明する。
第１５実施形態は、陣笠型雨除けカバー付き吊りハンガーによって支持される配管の保温構造１５０である。保温構造１５０は、吊りハンガー１５１によって支持される配管１５８を保護する外装材１５２の内面に断熱性・撥水性・非吸水性を備えた上記薄型の保温材１５３を有する。そして、保温材１５３は吊りハンガー１５１によって支持される配管１５８と非接触である。これによって、保温構造１５０内部への雨水の浸入を防止して当該配管１５８の腐食を防止するとともに、仮に保温構造１５０内部へ雨水が浸入しても、保温材１５３が当該配管１５８に非接触であることで、配管表面に付着した雨水が蒸発し、配管１５８の腐食を防止する。なお、第１２実施形態に示す保温構造１２０と異なるのは、保温材１５６及び外装材１５７等によって被覆された配管１５８の吊りハンガーによって支持される支持部分を被覆無しの状態にして（配管と非接触状態にして）、当該外装材１５７の外側に当該保温材１５３を巻き付けた点にある。
【００５２】
また、外装材１５２及び保温材１５３には、保温構造内部に浸入した水及び水蒸気を逃がすための貫通孔１５４を形成する。これにより、浸入した雨水等の水及び水蒸気が保温構造１５０外へ排出される。その結果、保温構造１５０内部の湿度が低くなり（乾燥し）、配管１５８の腐食を効果的に防止できる。
なお、図１５に図示した「ＡＬＧＣシート」は無くてもよい。
【産業上の利用可能性】
【００５３】
本願発明は、直管部以外の配管部分及び支持部材によって支持される配管部分における配管の腐食防止のために広く利用できる保温構造である。
【符号の説明】
【００５４】
１０    保温構造
１１    曲管部
１２    外装材
１３    保温材
１３ｂ  保温材
１４    貫通孔
１５    間仕切
１９    保温材
【図１−１】
0005972556.tif 000002
【図１−２】
0005972556.tif 000003
【図２−１】
0005972556.tif 000004
【図２−２】
0005972556.tif 000005
【図３−１】
0005972556.tif 000006
【図３−２】
0005972556.tif 000007
【図４】
0005972556.tif 000008
【図５】
0005972556.tif 000009
【図６】
0005972556.tif 000010
【図７】
0005972556.tif 000011
【図８】
0005972556.tif 000012
【図９】
0005972556.tif 000013
【図１０】
0005972556.tif 000014
【図１１】
0005972556.tif 000015
【図１２】
0005972556.tif 000016
【図１３】
0005972556.tif 000017
【図１４】
0005972556.tif 000018
【図１５】
0005972556.tif 000019